(57)【要約】【課題】オクタン価の低いＦＴ合成基材をガソリン基材として用いることが可能な無鉛ガソリン組成物を提供する。【解決手段】ＦＴ合成基材の留出温度範囲が２５℃から２２０℃の留分の全部もしくはその一部の含有量（容量％）をＡ、炭素数４〜８のエーテル類の含有量（容量％）をＢ、炭素数２〜４のアルコール類の含有量（容量％）をＣ、とした時に、（１）５０≧Ａ＞０、（２）Ｂ＋Ｃ＞０、（３）２５≧Ｂ≧０、（４）１５≧Ｃ≧０、および（５）Ａ／（Ｂ＋Ｃ）≧１を満たし、かつ、リサーチ法オクタン価が８９．０以上、モーター法オクタン価が８０．０以上、５０％留出温度が７５℃以上１１０℃以下、硫黄分含有量が１０質量ｐｐｍ以下であることを特徴とする無鉛ガソリン組成物。【選択図】なし【特許請求の範囲】
【請求項１】
ＦＴ合成基材の留出温度範囲が２５℃から２２０℃の留分の全部もしくはその一部の含有量（容量％）をＡ、炭素数４〜８のエーテル類の含有量（容量％）をＢ、炭素数２〜４のアルコール類の含有量（容量％）をＣ、とした時に、以下の式（１）〜（５）を満たし、かつ、リサーチ法オクタン価が８９．０以上、モーター法オクタン価が８０．０以上、５０％留出温度が７５℃以上１１０℃以下、硫黄分含有量が１０質量ｐｐｍ以下であることを特徴とする無鉛ガソリン組成物。
（１）５０≧Ａ＞０
（２）Ｂ＋Ｃ＞０
（３）２５≧Ｂ≧０  
（４）１５≧Ｃ≧０
（５）Ａ／（Ｂ＋Ｃ）≧１
【請求項２】
炭素数４〜８のエーテル類の９５容量％以上が、バイオマス由来のエタノールを原料として製造したエチルタシャリーブチルエーテルであり、かつ、炭素数２〜４のアルコール類は０．１容量％未満であることを特徴とする請求項１に記載の無鉛ガソリン組成物。
【請求項３】
エチルターシャリーブチルエーテルの含有量が３容量％以上８容量％以下であることを特徴とする請求項２に記載の無鉛ガソリン組成物。
【請求項４】
炭素数２〜４のアルコール類の９５容量％以上がバイオマス由来のエタノールであり、かつ、炭素数４〜８のエーテル類は０．１容量％未満であることを特徴とする請求項１に記載の無鉛ガソリン組成物。
【請求項５】
エタノールの含有量が１容量％以上３容量％以下であることを特徴とする請求項４に記載の無鉛ガソリン組成物。
【発明の詳細な説明】
【技術分野】
【０００１】
本発明は、自動車用燃料としての無鉛ガソリン組成物に関し、特に供給ソース多様化とオクタン価確保の観点からＦＴ合成基材と含酸素化合物を含有する無鉛ガソリン組成物に関する。
【背景技術】
【０００２】
従来、ガソリンは、原油を接触改質装置や接触分解装置等の各種精製装置で処理することにより得られるガソリン留分の基材を、１種または２種以上配合することにより製造されている。
ガソリンの原料となる原油の需要は、自動車保有台数の増加等を背景に、増加を続けており、原油が有限な資源であることも考えると、ガソリンの供給ソースを多様化することが求められている。
ＦＴ合成基材は、幅広い炭素含有物質を原料とすることが可能なため、燃料供給ソースの多様化に有効だが、その着火特性から自動車用燃料としては、主にディーゼル機関用の燃料に適していると考えられており、ＦＴ合成基材をガソリン機関で燃焼させるには、特にオクタン価が低いことが問題となる。
原油以外を資源することが可能で、ガソリンに配合可能な化合物としては、エタノール等のアルコール類、メチルターシャリーブチルエーテルやエチルターシャリーブチルエーテル等のエーテル類がある。これらのアルコール類、エーテル類は、オクタン価も高く、混合時のオクタン価向上効果等に注目した特許出願がされている（例えば、特許文献１〜４参照。）。
【特許文献１】特開２００５−０２９７６０号公報
【特許文献２】特開２００５−０２９７６１号公報
【特許文献３】特開２００５−０２９７６２号公報
【特許文献４】特開２００５−０２９７６３号公報
【発明の開示】
【発明が解決しようとする課題】
【０００３】
本発明の目的は、ガソリンの供給ソースを多様化すること、すなわち、原油以外の資源からもガソリンを製造することや、原油から製造できるガソリンの得率を向上させることであり、特に、供給ソースを多様化した場合に、ガソリンに必要なオクタン価を効率よく確保できる配合の無鉛ガソリン組成物を提供することにある。
【課題を解決するための手段】
【０００４】
本発明者らは、上記課題を解決するために鋭意研究した結果、幅広い炭素含有物質を原料とすることが可能なＦＴ合成基材が特定量混合されている場合に、原油以外を資源とすることが可能な炭素数４〜８のエーテル類や、炭素数２〜４のアルコール類の含酸素化合物のオクタン価向上効果がより高くなることを見出し、本発明を完成するに至った。
すなわち、本発明は、ＦＴ合成基材の留出温度範囲が２５℃から２２０℃の留分の全部もしくはその一部の含有量（容量％）をＡ、炭素数４〜８のエーテル類の含有量（容量％）をＢ、炭素数２〜４のアルコール類の含有量（容量％）をＣ、とした時に、以下の式（１）〜（５）を満たし、かつ、リサーチ法オクタン価が８９．０以上、モーター法オクタン価が８０．０以上、５０％留出温度が７５℃以上１１０℃以下、硫黄分含有量が１０質量ｐｐｍ以下であることを特徴とする無鉛ガソリン組成物に関する。
（１）５０≧Ａ＞０
（２）Ｂ＋Ｃ＞０
（３）２５≧Ｂ≧０  
（４）１５≧Ｃ≧０
（５）Ａ／（Ｂ＋Ｃ）≧１
【発明の効果】
【０００５】
本発明により、ＦＴ合成基材を用いて、排出ガス浄化性能や、燃費性能、運転性に優れたガソリンが得られる。
【発明を実施するための最良の形態】
【０００６】
以下、本発明について詳述する。
本発明は、ＦＴ合成基材の留出温度範囲が２５℃から２２０℃の留分の全部もしくはその一部の含有量（容量％）をＡとした時に、下記（１）を満たす必要がある。
（１）５０≧Ａ＞０
これはすなわち、本発明のガソリンは、５０容量％以下の範囲でＦＴ合成基材を含有している必要のあることを意味する。ＦＴ合成基材の配合により、ガソリン供給ソースの多様化が図れる。一方、ＦＴ合成基材の含有量が５０容量％を超えると、オクタン価が低下し、燃費が悪化する可能性がある。
【０００７】
ここで、ＦＴ合成基材とは、水素及び一酸化炭素を主成分とする混合ガス（合成ガスと称する場合もある）に対してフィッシャートロプシュ（ＦＴ）反応を適用させて得られるナフサ、灯油、軽油相当の液体留分、およびこれらを水素化精製、水素化分解することによって得られる炭化水素混合物、およびＦＴ反応により液体留分およびＦＴワックスを生成し、これを水素化精製、水素化分解することにより得られる炭化水素混合物からなる基材のことを示す。
【０００８】
ＦＴ合成基材の原料となる混合ガスは、炭素を含有する物質を、酸素および／または水および／または二酸化炭素を酸化剤に用いて酸化し、更に必要に応じて水を用いたシフト反応により所定の水素および一酸化炭素濃度に調整して得られる。
炭素を含有する物質としては、天然ガス、石油液化ガス、メタンガス等の常温で気体となっている炭化水素からなるガス成分や、石油アスファルト、バイオマス、石炭、建材やゴミ等の廃棄物、汚泥、及び通常の方法では処理しがたい重質な原油、非在来型石油資源等を高温に晒すことで得られる混合ガスが一般的であるが、水素及び一酸化炭素を主成分とする混合ガスが得られる限りにおいては、本発明はその原料を限定するものではない。
【０００９】
フィッシャートロプシュ反応には金属触媒が必要である。好ましくは周期律表第８族の金属、例えば、コバルト、ルテニウム、ロジウム、パラジウム、ニッケル、鉄等、更に好ましくは第８族第４周期の金属を活性触媒成分として利用する方法である。また、これらの金属を適量混合した金属群を用いることもできる。これらの活性金属はシリカやアルミナ、チタニア、シリカアルミナなどの担体上に担持して得られる触媒の形態で使用することが一般的である。また、これら触媒に上記活性金属に加えて第２金属を組合せて使用することにより、触媒性能を向上させることもできる。第２金属としては、ナトリウム、リチウム、マグネシウムなどのアルカリ金属やアルカリ土類金属の他に、ジルコニウム、ハフニウム、チタニウムなどが挙げられ、一酸化炭素の転化率向上やワックス生成量の指標となる連鎖成長確率(α)の増加など、目的に応じて適宜使用されている。
【００１０】
フィッシャートロプシュ反応は、混合ガスを原料として、液体留分およびＦＴワックスを生成する合成法である。この合成法を効率的に行うために、一般には混合ガス中の水素と一酸化炭素の比を制御することが好ましい。一酸化炭素に対する水素のモル混合比（水素／一酸化炭素）は１．２以上であることが好ましく、１．５以上であることがより好ましく、１．８以上であることが更により好ましい。また、この比率は３以下であることが好ましく、２．６以下であることがより好ましく、２．２以下であることが更により好ましい。
【００１１】
上記触媒を用いてフィッシャートロプシュ反応を行う場合の反応温度は、１８０℃以上３２０℃以下であることが好ましく、２００℃以上３００℃以下であることがより好ましい。反応温度が１８０℃未満では一酸化炭素がほとんど反応せず、炭化水素収率が低い傾向にある。また、反応温度が３２０℃を超えると、メタンなどのガス生成量が増加し、液体留分およびＦＴワックスの生成効率が低下してしまう。
【００１２】
触媒に対するガス空間速度に特に制限は無いが、５００ｈ−１以上４０００ｈ−１以下が好ましく、１０００ｈ−１以上３０００ｈ−１以下がより好ましい。ガス空間速度が５００ｈ−１未満では液体燃料の生産性が低下する傾向にあり、また４０００ｈ−１を超えると反応温度を高くせざるを得なくなると共にガス生成が大きくなり、目的物の収率が低下してしまう。
【００１３】
反応圧力（一酸化炭素と水素からなる合成ガスの分圧）は特に制限が無いが、０．５ＭＰａ以上７ＭＰａ以下が好ましく、２ＭＰａ以上４ＭＰａ以下がより好ましい。反応圧力が０．５ＭＰａ未満では液体燃料の収率が低下する傾向にあり、また７ＭＰａを超えると設備投資額が大きくなる傾向にあり、非経済的になる。
【００１４】
ＦＴ合成基材は、上記ＦＴ反応により生成された液体留分およびＦＴワックスを、必要に応じて任意の方法で水素化精製または水素化分解し、目的にあった蒸留性状、組成等に調整することも可能である。水素化精製及び水素化分解は目的に即して選択すればよく、どちらか一方のみまたは両方法の組み合わせ等の選択も本発明の燃料組成物を製造しうる範囲において何ら限定されるものではない。
【００１５】
水素化精製に用いる触媒は水素化活性金属を多孔質担体に担持したものが一般的であるが、同様の効果が得られる触媒であれば本発明はその形態を何ら限定するものではない。
多孔質担体としては無機酸化物が好ましく用いられる。具体的には、アルミナ、チタニア、ジルコニア、ボリア、シリカ、ゼオライトなどが挙げられる。
ゼオライトは結晶性アルミノシリケートであり、フォージャサイト、ペンタシル、モルデナイトなどが挙げられ、好ましくはフォージャサイト、ベータ、モルデナイト、特に好ましくはＹ型、ベータ型が用いられる。なかでも、Ｙ型は超安定化したものが好ましい。
【００１６】
活性金属としては以下に示す２つの種類（活性金属Ａタイプおよび活性金属Ｂタイプ）が好ましく用いられる。
活性金属Ａタイプは周期律表第８族金属から選ばれる少なくとも１種類の金属である。好ましくはＲｕ、Ｒｈ、Ｉｒ、ＰｄおよびＰｔから選ばれる少なくとも１種類であり、さらに好ましくはＰｄまたは／およびＰｔである。活性金属としてはこれらの金属を組み合わせたものでよく、例えば、Ｐｔ−Ｐｄ、Ｐｔ−Ｒｈ、Ｐｔ−Ｒｕ、Ｉｒ−Ｐｄ、Ｉｒ−Ｒｈ、Ｉｒ−Ｒｕ、Ｐｔ−Ｐｄ−Ｒｈ、Ｐｔ−Ｒｈ−Ｒｕ、Ｉｒ−Ｐｄ−Ｒｈ、Ｉｒ−Ｒｈ−Ｒｕなどがある。これらの金属からなる貴金属系触媒を使う際には、水素気流下において予備還元処理を施した後に用いることができる。一般的には水素を含むガスを流通し、２００℃以上の熱を所定の手順に従って与えることにより触媒上の活性金属が還元され、水素化活性を発現することになる。
また活性金属Ｂタイプとして、周期律表第６Ａ族および第８族金属から選ばれる少なくとも一種類の金属を含有し、望ましくは第６Ａ族および第８族から選択される二種類以上の金属を含有しているものも使用することができる。例えばＣｏ−Ｍｏ、Ｎｉ−Ｍｏ、Ｎｉ−Ｃｏ−Ｍｏ、Ｎｉ−Ｗが挙げられ、これらの金属からなる金属硫化物触媒を使う際には予備硫化工程を含む必要がある。
【００１７】
金属源としては一般的な無機塩、錯塩化合物を用いることができ、担持方法としては含浸法、イオン交換法など通常の水素化触媒で用いられる担持方法のいずれの方法も用いることができる。また、複数の金属を担持する場合には混合溶液を用いて同時に担持してもよく、または単独溶液を用いて逐次担持してもよい。金属溶液は水溶液でもよく有機溶剤を用いてもよい。
【００１８】
活性金属Ａタイプからなる触媒を用いて水素化精製を行う場合の反応温度は、１８０℃以上４００℃以下であることが好ましく、２００℃以上３７０℃以下であることがより好ましく、２５０℃以上３５０℃以下であることが更に好ましく、２８０℃以上３５０℃以下が更により好ましい。水素化精製における反応温度が３７０℃を超えると、ナフサ留分へ分解する副反応が増えて中間留分の収率が極度に減少するため好ましくない。また、反応温度が２７０℃を下回ると、アルコール分が除去しきれずに残存するため好ましくない。
活性金属Ｂタイプからなる触媒を用いて水素化精製を行う場合の反応温度は、１７０℃以上３２０℃以下であることが好ましく、１７５℃以上３００℃以下であることがより好ましく、１８０℃以上２８０℃以下であることが更に好ましい。水素化精製における反応温度が３２０℃を超えると、ナフサ留分へ分解する副反応が増えて中間留分の収率が極度に減少するため好ましくない。また、反応温度が１７０℃を下回ると、アルコール分が除去しきれずに残存するため好ましくない。
【００１９】
活性金属Ａタイプからなる触媒を用いて水素化精製を行う場合の水素圧力は、０．５ＭＰａ以上１２ＭＰａ以下であることが好ましく、１．０ＭＰａ以上５．０ＭＰａ以下であることがより好ましい。水素圧力は高いほど水素化反応が促進されるが、一般には経済的に最適点が存在する。
活性金属Ｂタイプからなる触媒を用いて水素化精製を行う場合の水素圧力は、２ＭＰａ以上１０ＭＰａ以下であることが好ましく、２．５ＭＰａ以上８ＭＰａ以下であることがより好ましく、３ＭＰａ以上７ＭＰａ以下であることが更に好ましい。水素圧力は高いほど水素化反応が促進されるが、一般には経済的に最適点が存在する。
【００２０】
活性金属Ａタイプからなる触媒を用いて水素化精製を行う場合の液空間速度（ＬＨＳＶ）は、０．１ｈ−１以上１０．０ｈ−１以下であることが好ましく、０．３ｈ−１以上３．５ｈ−１以下であることがより好ましい。ＬＨＳＶは低いほど反応に有利であるが、低すぎる場合には極めて大きな反応塔容積が必要となり過大な設備投資となるので経済的に好ましくない。
活性金属Ｂタイプからなる触媒を用いて水素化精製を行う場合の液空間速度（ＬＨＳＶ）は、０．１ｈ−１以上２ｈ−１以下であることが好ましく、０．２ｈ−１以上１．５ｈ−１以下であることがより好ましく、０．３ｈ−１以上１．２ｈ−１以下であることが更に好ましい。ＬＨＳＶは低いほど反応に有利であるが、低すぎる場合には極めて大きな反応塔容積が必要となり過大な設備投資となるので経済的に好ましくない。
【００２１】
活性金属Ａタイプからなる触媒を用いて水素化精製を行う場合の水素／油比は、５０ＮＬ／Ｌ以上１０００ＮＬ／Ｌ以下であることが好ましく、７０ＮＬ／Ｌ以上８００ＮＬ／Ｌ以下であることがより好ましい。水素／油比は高いほど水素化反応が促進されるが、一般には経済的に最適点が存在する。
活性金属Ｂタイプからなる触媒を用いて水素化精製を行う場合の水素／油比は、１００ＮＬ／Ｌ以上８００ＮＬ／Ｌ以下であることが好ましく、１２０ＮＬ／Ｌ以上６００ＮＬ／Ｌ以下であることがより好ましく、１５０ＮＬ／Ｌ以上５００ＮＬ／Ｌ以下であることが更に好ましい。水素／油比は高いほど水素化反応が促進されるが、一般には経済的に最適点が存在する。
【００２２】
水素化分解に用いる触媒は水素化活性金属を固体酸性質を有する担体に担持したものが一般的であるが、同様の効果が得られる触媒であれば本発明はその形態を何ら限定するものではない。
固体酸性質を有する担体にはアモルファス系と結晶系のゼオライトがある。具体的にはアモルファス系のシリカ−アルミナ、シリカ−マグネシア、シリカ−ジルコニア、シリカ−チタニアとゼオライトのフォージャサイト型、ベータ型、ＭＦＩ型、モルデナイト型などがある。好ましくはフォージャサイト型、ベータ型、ＭＦＩ型、モルデナイト型のゼオライト、より好ましくはＹ型、ベータ型である。Ｙ型は超安定化したものが好ましい。
活性金属としては以下に示す２つの種類（活性金属Ａタイプおよび活性金属Ｂタイプ）が好ましく用いられる。
活性金属Ａタイプとしては主に周期律表第６Ａ族および第８族金属から選ばれる少なくとも１種類の金属である。好ましくはＮｉ、Ｃｏ、Ｍｏ、Ｐｔ、ＰｄおよびＷから選ばれる少なくとも１種類の金属である。これらの金属からなる貴金属系触媒を使う際には、水素気流下において予備還元処理を施した後に用いることができる。一般的には水素を含むガスを流通し、２００℃以上の熱を所定の手順に従って与えることにより触媒上の活性金属が還元され、水素化活性を発現することになる。
また活性金属Ｂタイプとしてはこれらの金属を組み合わせたものでよく、例えば、Ｐｔ−Ｐｄ、Ｃｏ−Ｍｏ、Ｎｉ−Ｍｏ、Ｎｉ−Ｗ、Ｎｉ−Ｃｏ−Ｍｏなどが挙げられる。また、これらの金属からなる触媒を使う際には、予備硫化したのち使用するのが好ましい。
【００２３】
金属源としては一般的な無機塩、錯塩化合物を用いることができ、担持方法としては含浸法、イオン交換法など通常の水素化触媒で用いられる担持方法のいずれの方法も用いることができる。また、複数の金属を担持する場合には混合溶液を用いて同時に担持してもよく、または単独溶液を用いて逐次担持してもよい。金属溶液は水溶液でもよく有機溶剤を用いてもよい。
【００２４】
活性金属Ａタイプおよび活性金属Ｂタイプからなる触媒を用いて水素化分解を行う場合の反応温度は、２００℃以上４５０℃以下であることが好ましく、２５０℃以上４３０℃以下であることがより好ましく、３００℃以上４００℃以下であることが更に好ましい。水素化分解における反応温度が４５０℃を超えると、ナフサ留分へ分解する副反応が増えて中間留分の収率が極度に減少するため好ましくない。一方、２００℃未満の場合は触媒の活性が著しく低下するので好ましくない。
【００２５】
活性金属Ａタイプおよび活性金属Ｂタイプからなる触媒を用いて水素化分解を行う場合の水素圧力は、１ＭＰａ以上２０ＭＰａ以下であることが好ましく、４ＭＰａ以上１６ＭＰａ以下であることがより好ましく、６ＭＰａ以上１３ＭＰａ以下であることが更に好ましい。水素圧力は高いほど水素化反応が促進されるが、分解反応はむしろ進行が鈍化し反応温度の上昇で進行を調整する必要が生じるため、転じて触媒寿命の低下に繋がってしまう。そのため、一般に反応温度には経済的な最適点が存在する。
【００２６】
活性金属Ａタイプからなる触媒を用いて水素化分解を行う場合の液空間速度（ＬＨＳＶ）は、０．１ｈ−１以上１０ｈ−１以下であることが好ましく、０．３ｈ−１以上３．５ｈ―１以下であることがより好ましい。ＬＨＳＶは低いほど反応に有利であるが、低すぎる場合には極めて大きな反応塔容積が必要となり過大な設備投資となるので経済的に好ましくない。
上記活性金属Ｂタイプからなる触媒を用いて水素化分解を行う場合の液空間速度（ＬＨＳＶ）は、０．１ｈ−１以上２ｈ−１以下であることが好ましく、０．２ｈ−１以上１．７ｈ―１以下であることがより好ましく、０．３ｈ−１以上１．５ｈ−１以下であることが更に好ましい。ＬＨＳＶは低いほど反応に有利であるが、低すぎる場合には極めて大きな反応塔容積が必要となり過大な設備投資となるので経済的に好ましくない。
【００２７】
活性金属Ａタイプからなる触媒を用いて水素化分解を行う場合の水素／油比は、５０ＮＬ／Ｌ以上１０００ＮＬ／Ｌ以下であることが好ましく、７０ＮＬ／Ｌ以上８００ＮＬ／Ｌ以下であることがより好ましく、４００ＮＬ／Ｌ以上１５００ＮＬ／Ｌ以下であることが更に好ましい。水素／油比は高いほど水素化反応が促進されるが、一般には経済的に最適点が存在する。
活性金属Ｂタイプからなる触媒を用いて水素化分解を行う場合の水素／油比は、１５０ＮＬ／Ｌ以上２０００ＮＬ／Ｌ以下であることが好ましく、３００ＮＬ／Ｌ以上１７００ＮＬ／Ｌ以下であることがより好ましく、４００ＮＬ／Ｌ以上１５００ＮＬ／Ｌ以下であることが更に好ましい。水素／油比は高いほど水素化反応が促進されるが、一般には経済的に最適点が存在する。
【００２８】
水素化処理する装置はいかなる構成でもよく、反応塔は単独または複数を組み合わせてもよく、複数の反応塔の間に水素を追加注入してもよく、気液分離操作や硫化水素除去設備、水素化生成物を分留し、所望の留分を得るための蒸留塔を有していてもよい。
水素化処理装置の反応形式は、固定床方式をとりうる。水素は原料油に対して、向流または並流のいずれの形式をとることもでき、また、複数の反応塔を有し向流、並流を組み合わせた形式のものでもよい。一般的な形式としてはダウンフローであり、気液双並流形式がある。反応塔の中段には反応熱の除去、あるいは水素分圧を上げる目的で水素ガスをクエンチとして注入してもよい。
【００２９】
本発明のガソリンに含有されるＦＴ合成基材は、留出温度範囲が２５℃から２２０℃の留分の全部もしくはその一部である必要がある。
留分範囲の例としては、例えば２５℃〜７０℃の軽質留分、７０℃〜１６０℃の中間留分、１６０℃〜２２０℃の重質留分等が挙げられる。この他、２５℃〜２２０℃の留分から一部の留分範囲を除いた残りを使用すること等もできる。
【００３０】
本発明は、炭素数４〜８のエーテル類の含有量（容量％）をＢ、炭素数２〜４のアルコール類の含有量（容量％）をＣ、とした時に、下記（２）を満たす必要がある。
（２）Ｂ＋Ｃ＞０
これはすなわち、本発明のガソリンは、炭素数４〜８のエーテル類か、炭素数２〜４のアルコール類のうち、少なくともどちらか一方を含有している必要のあることを意味する。どちらも含有されていない場合には、含酸素化合物によるオクタン価向上効果が得られない。
【００３１】
炭素数４〜８のエーテル類としては、例えば、メチルターシャリーブチルエーテル（ＭＴＢＥ）、エチルターシャリーブチルエーテル（ＥＴＢＥ）、ターシャリーアミルメチルエーテル（ＴＡＭＥ）、ターシャリーアミルエチルエーテル等を挙げることができる。
炭素数２〜４のアルコール類としては、例えば、エタノール、イソプロピルアルコール、ターシャリーブチルアルコール等を挙げることができる。
【００３２】
本発明は、炭素数４〜８のエーテル類の含有量（容量％）をＢ、とした時に、下記（３）を満たす必要がある。
（３）２５≧Ｂ≧０
これはすなわち、本発明のガソリンにおける炭素数４〜８のエーテル類の配合量は、２５容量％以下である必要のあることを意味する。エーテル類の配合する２５容量％を超えると、燃費の低下を招き、排出ガス中のＮＯｘが増加する可能性がある。
【００３３】
本発明は、炭素数２〜４のアルコール類の含有量（容量％）をＣ、とした時に、下記（４）を満たす必要がある。
（４）１５≧Ｃ≧０
これはすなわち、本発明のガソリンにおける炭素数２〜４のアルコール類の配合量は、１５容量％以下である必要のあることを意味する。アルコール類の配合量が１５容量％を超えると、燃費の低下を招き、排出ガス中のＮＯｘが増加する可能性があり、また、自動車燃料系部材の適合性に問題を生じる可能性がある。
【００３４】
本発明は、ＦＴ合成基材の留出温度範囲が２５℃から２２０℃の留分の全部もしくはその一部の含有量（容量％）をＡ、炭素数４〜８のエーテル類の含有量（容量％）をＢ、炭素数２〜４のアルコール類の含有量（容量％）をＣ、とした時に、下記（５）を満たす必要がある。
（５）Ａ／（Ｂ＋Ｃ）≧１
式（５）は、ＦＴ合成基材と、エーテル類、アルコール類との比率を表すものであり、式（５）を満たすことにより、エーテル類、アルコール類のオクタン価向上効果を最大限に引き出すことができる。さらに、式（５）は１．５以上を満たすことが好ましく、２．０以上を満たすことがより好ましい。Ａ／（Ｂ＋Ｃ）の値が１より小さい場合には、エーテル類、アルコール類によるオクタン価向上効果が小さく可能性がある。
【００３５】
本発明のガソリンのリサーチ法オクタン価（ＲＯＮ）は、耐ノッキング性、加速性、運転性の観点から、８９．０以上が必要である。
本発明のガソリンが主にレギュラーガソリン仕様車で使用される場合には、ＲＯＮは９０．０以上であることがより好ましく、ガソリン製造時のＣＯ2排出量の増加が走行時のＣＯ２排出量の低減を上回るとの観点から、ＲＯＮは９６．０未満であることが好ましい。
一方、本発明のガソリンが主にプレミアムガソリン仕様車で使用される場合には、その性能を最大限に引き出すために、ＲＯＮは９６．０以上であることが好ましく、９８．０以上であることがより好ましく、９９．５以上であることがさらに好ましく、１００．０以上であることがさらにより好ましい。
【００３６】
また、高速における耐ノッキング性能の悪化を防止する観点から、本発明のガソリンのモーター法オクタン価（ＭＯＮ）は８０．０以上である必要がある。
本発明のガソリンが主にレギュラーガソリン仕様車で使用される場合には、ＭＯＮは８１．０以上であることがより好ましく、８１．５以上であることがさらにさらに好ましく、８２．０以上であることがさらにより好ましい。
一方、本発明のガソリンが主にプレミアムガソリン仕様車で使用される場合には、ＭＯＮは８７．０以上であることが好ましく、８７．５以上であることがより好ましく、８８．０以上であることがさらにより好ましく、８８．５以上であることが最も好ましい。
ここでいうリサーチ法オクタン価（ＲＯＮ）およびモーター法オクタン価（ＭＯＮ）とは、ＪＩＳ Ｋ  ２２８０「オクタン価及びセタン価試験方法」により測定されるリサーチ法オクタン価およびモーター法オクタン価を意味する。
【００３７】
本発明のガソリンの蒸留初留点（ＩＢＰ）は、好ましくは２０℃以上、より好ましくは２３℃以上である。ＩＢＰが２０℃に満たない場合は排出ガス中の炭化水素が増加する可能性がある。一方、ＩＢＰは、好ましくは３７℃以下、より好ましくは３５℃以下である。ＩＢＰが３７℃を超える場合には、低温運転性が低下する可能性がある。
本発明のガソリンの１０容量％留出温度（Ｔ１０）は、好ましくは３５℃以上、より好ましくは４０℃以上である。Ｔ１０が３５℃に満たない場合は排出ガス中の炭化水素が増加する可能性があり、また、ベーパーロックにより高温運転性が低下する可能性がある。一方、Ｔ１０は、７０℃以下であることが好ましく、より好ましくは６０℃以下である。Ｔ１０が７０℃を超える場合には、低温始動性が低下する可能性がある。
本発明のガソリンの３０容量％留出温度（Ｔ３０）は、好ましくは５５℃以上、より好ましくは６０℃以上である。Ｔ３０が５５℃に満たない場合は燃費が悪化する可能性がある。一方、Ｔ３０は、好ましくは７７℃以下、より好ましくは７５℃以下、さらに好ましくは７０℃以下である。Ｔ３０が７７℃を超える場合には、中低温運転性が低下する可能性がある。
本発明のガソリンの５０容量％留出温度（Ｔ５０）は、燃費の悪化を防止する観点から、７５℃以上であることが必要であり、８０℃以上であることが好ましい。一方、常温運転性の悪化を防止する観点から、Ｔ５０は、１１０℃以下であることが必要であり、１０５℃以下であることが好ましく、１００℃以下であることがより好ましい。
本発明のガソリンの７０容量％留出温度（Ｔ７０）は、好ましくは９５℃以上である。Ｔ７０が９５℃に満たない場合は、燃費が悪化する可能性がある。一方、Ｔ７０は、好ましくは１３５℃以下、より好ましくは１３０℃以下である。Ｔ７０が１３５℃を超える場合は冷機時の中低温運転性が低下する可能性があり、また、排出ガス中の炭化水素の増加、吸気バルブデポジットの増加、燃焼室デポジットが増加する可能性がある。
本発明のガソリンの９０容量％留出温度（Ｔ９０）は、好ましくは１１５℃以上、より好ましくは１２０℃以上である。Ｔ９０が１１５℃に満たない場合は、燃費が悪化する可能性がある。一方、冷機時の低温及び常温運転性の悪化、エンジンオイルのガソリンによる希釈の増加、炭化水素排出ガスの増加、エンジンオイルの劣化及びスラッジの発生等の現象を防止できる観点から、Ｔ９０は、１８０℃以下であることが好ましく、より好ましくは１７５℃以下、さらに好ましくは１７０℃以下、さらにより好ましくは１６５℃以下である。
本発明のガソリンの蒸留終点（ＥＰ）は、１５０℃以上であることが好ましい。また、ＥＰは、２２０℃以下であることが好ましく、より好ましくは２１５℃以下、さらに好ましくは２００℃以下、さらにより好ましくは１９５℃以下である。ＥＰが２２０℃を超えると、吸気弁デポジットや燃焼室デポジットが増加する可能性があり、また、点火プラグのくすぶりが発生する可能性がある。
ここでいうＩＢＰ、Ｔ１０、Ｔ３０、Ｔ５０、Ｔ７０、Ｔ９０、ＥＰとは、ＪＩＳ  Ｋ  ２２５４「石油製品−蒸留試験方法」により測定される値（℃）を意味する。
【００３８】
本発明のガソリンの硫黄含有量は１０質量ｐｐｍ以下であることが必要であり、好ましくは８質量ｐｐｍ以下である。また、本発明のガソリンのＲＯＮが９６．０以上の場合には硫黄分は５質量ｐｐｍ以下であることがさらにより好ましい。硫黄分が１０質量ｐｐｍを超える場合、排出ガス浄化処理触媒の性能に悪影響を及ぼし、排出ガス中のＮＯｘ、ＣＯ、ＨＣの濃度が高くなる可能性があり、またベンゼンの排出量も増加するおそれがあるため、好ましくない。
ここでいう硫黄分含有量とは、ＪＩＳ  Ｋ  ２５４１「原油及び石油製品−硫黄分試験方法」により測定される値を意味する。
【００３９】
本発明のガソリンは無鉛であることが必要である。ここでいう無鉛とは、四エチル鉛等のアルキル鉛化合物を実質的に添加しないことをいい、たとえ極微量の鉛化合物を含有する場合であっても、その含有量はＪＩＳ  Ｋ  ２２５５「ガソリン中の鉛分試験方法」の適用区分下限値（０．００１ｇ／ｌ）以下であることを意味する。
【００４０】
本発明のガソリンにおいては、炭素数４〜８のエーテル類として、二酸化炭素排出量抑制の観点から、バイオマス由来のエタノールを原料として製造したＥＴＢＥを特に好ましく使用することができる。
例えば、本発明のガソリンにおいて、炭素数４〜８のエーテル類の９５容量％以上がバイオマス由来のエタノールを原料として製造したＥＴＢＥであり、炭素数２〜４のアルコール類が０．１容量％未満の場合には、供給ソースの多様化、オクタン価向上効果、二酸化炭素削減効果をバランスよく達成することができる。この場合、ＥＴＢＥの含有量が３容量％以上８容量％以下の範囲にあると、自動車部材への適合性を含めて特に一層好ましい。
【００４１】
本発明のガソリンにおいては、炭素数２〜４のアルコール類として、二酸化炭素排出量抑制の観点から、バイオマス由来のエタノールを特に好ましく使用することができる。
例えば、本発明のガソリンにおいて、炭素数２〜４のアルコール類の９５容量％以上がバイオマス由来のエタノールであり、炭素数４〜８のエーテル類が０．１容量％未満の場合には、供給ソースの多様化、オクタン価向上効果、二酸化炭素削減効果をバランスよく達成することができる。この場合、エタノールの含有量が１容量％以上３容量％以下の範囲にあると、自動車部材への適合性を含めて特に一層好ましい。
【００４２】
本発明のガソリンは、ＦＴ合成基材、炭素数４〜８のエーテル類、炭素数２〜４のアルコール類、以外については、本発明で規定する性状を満たす限りにおいて配合される基材に特に限定はなく、従来公知の任意の方法で製造することができる一種又は二種以上のガソリン基材を配合することができる。
具体的には、例えば、原油蒸留装置、ナフサ改質装置、アルキレーション装置等から得られるプロパンを中心とした直留系プロパン留分、ブタンを中心とした直留系ブタン留分、それらを脱硫処理して得られる直留系脱硫プロパン留分、直留系脱硫ブタン留分、接触分解装置等から得られるプロパン・プロピレンを中心とした分解系プロパン留分、ブタン・ブテンを中心とした分解系ブタン留分、原油を常圧蒸留して得られるナフサ留分（ホールレンジナフサ）、ナフサの軽質留分、ナフサの重質留分、ホールレンジナフサを脱硫した脱硫ホールレンジナフサ、軽質ナフサを脱硫した脱硫軽質ナフサ、重質ナフサを脱硫した脱硫重質ナフサ、軽質ナフサを異性化装置でイソパラフィンに転化して得られる異性化ガソリン、イソブタンなどの炭化水素に低級オレフィンを付加（アルキル化）することによって得られるアルキレート、接触改質法で得られる改質ガソリン、改質ガソリンより芳香族分を抽出した残分であるラフィネート、改質ガソリンの軽質留分である軽質改質ガソリン、改質ガソリンの中質留分である中質改質ガソリン、改質ガソリンの中重質留分である中重質改質ガソリン、改質ガソリンの重質留分である重質改質ガソリン、各改質ガソリンの２種類以上の混合物、接触分解法で得られる接触分解ガソリン（ホールレンジ分解ガソリン）、接触分解ガソリンの軽質留分である軽質分解ガソリン、接触分解ガソリンの重質留分である重質分解ガソリン、水素化分解法で得られる水素化分解ガソリン、オレフィン分の重合によって得られる重合ガソリン、プロピレンまたはブテンの二量化によって得られるオレフィン留分、プロピレンまたはブテンの二量化によって得られたオレフィン留分を水素化して得られるパラフィン留分、脱ノルマルパラフィン油、芳香族炭化水素化合物（トルエン、炭素数８の芳香族(キシレン類)、炭素数９の芳香族等）等の基材が挙げられる。
【００４３】
本発明のガソリンのリード蒸気圧（ＲＶＰ）は、４４ｋＰａ以上９３ｋＰａ以下であることが好ましい。また、本発明のガソリンは使用される季節や地域によって調整することが好ましい。具体的には、暖かい季節・地域向けには、４４〜７２ｋＰａが好ましく、４４〜６５ｋＰａがより好ましく、５０〜６５ｋＰａがさらに好ましく、５５〜６５ｋＰａが最も好ましい。一方、寒い季節・地域向けには、６０〜９３ｋＰａが好ましく、６５〜９３ｋＰａがより好ましく、７０〜９３ｋＰａがさらに好ましく、７０〜８８ｋＰａが最も好ましい。ＲＶＰが高いと、ベーパーロックなどによる運転性の不具合が生じる可能性があり、ＲＶＰが低いと冷機状態の始動性が悪化する可能性がある。ここでいう蒸気圧（ＲＶＰ）とは、ＪＩＳ  Ｋ  ２２５８「原油及び燃料油蒸気圧試験方法（リード法）」により測定される値（ｋＰａ）を指す。
【００４４】
本発明のガソリンの１５℃における密度は、燃費の悪化を抑制する観点から、０．６９０ｇ／ｃｍ３以上であることが好ましく、０．７００ｇ／ｃｍ３以上であることがより好ましく、０．７１０ｇ／ｃｍ３以上がさらにより好ましく、０．７１５ｇ／ｃｍ３以上であることがさらにより一層好ましい。また、本発明のガソリンのリサーチ法オクタン価が９６．０以上である場合には、密度は０．７２０ｇ／ｃｍ３以上が好ましく、０．７３０ｇ／ｃｍ３以上がさらにより好ましい。一方、１５℃における密度は、加速性の悪化やプラグのくすぶりを防止する観点から、０．７８３ｇ／ｃｍ３以下であることが好ましく、０．７７０ｇ／ｃｍ３以下がより好ましく、０．７６０ｇ／ｃｍ３以下がさらにより好ましい。また、本発明のガソリンのリサーチ法オクタン価が９６．０未満である場合には、０．７５０ｇ／ｃｍ３以下が好ましく、０．７４０ｇ／ｃｍ３以下がより好ましい。
ここでいう１５℃における密度とは、ＪＩＳ  Ｋ  ２２４９「原油及び石油製品の密度試験方法並びに密度・質量・容量換算表」により測定される値（ｇ／ｃｍ３）を意味する。
【００４５】
本発明のガソリンの酸化安定度は、貯蔵中のガムの生成を抑制する観点から、２４０分以上であることが好ましく、４８０分以上であることがより好ましく、９６０分以上であることがさらに好ましく、１４４０分以上であることがさらにより好ましい。
ここでいう酸化安定度とは、ＪＩＳ  Ｋ  ２２８７「ガソリン酸化安定度試験方法（誘導期間法）」によって測定した値（分）を意味する。
【００４６】
本発明のガソリンは、銅板腐食（５０℃、３ｈ）が１以下であることが好ましく、１ａであるのがより好ましい。銅板腐食が１を越える場合は、燃料系統の導管が腐食する可能性がある。
ここでいう銅板腐食とは、ＪＩＳ  Ｋ  ２５１３「石油製品−銅板腐食試験方法」（試験温度５０℃、試験時間３時間）に準拠して測定した値を意味する。
【００４７】
本発明のガソリンの洗浄実在ガム量は、５ｍｇ／１００ｍｌ以下であることが好ましく、３ｍｇ／１００ｍｌ以下であることがより好ましく、１ｍｇ／１００ｍｌ以下であることがさらに好ましい。また、本発明のガソリンの未洗実在ガム量は、３０ｍｇ／１００ｍｌ以下である好ましく、２０ｍｇ／１００ｍｌ以下であることがより好ましい。また、本発明のガソリンのリサーチ法オクタン価が９６．０未満である場合には、未洗実在ガム量は１０ｍｇ／１００ｍｌ以下であることが好ましく、５ｍｇ／１００ｍｌ以下であることがより好ましい。未洗実在ガム量および洗浄実在ガム量が上記の値を超えた場合は、燃料導入系統において析出物が生成したり、吸入バルブが膠着する心配がある。
ここでいう洗浄実在ガム量および未洗実在ガム量とは、ＪＩＳ  Ｋ  ２２６１「石油製品−自動車ガソリン及び航空燃料油−実在ガム試験方法−噴射蒸発法」により測定した値（ｍｇ／１００ｍｌ）を意味する。
【００４８】
本発明のガソリン中のベンゼン含有量は、１容量％以下であることが好ましく、０．５容量％以下であることがより好ましい。ベンゼン含有量が１容量％を越えると排出ガス中のベンゼン濃度が高くなる可能性がある。
ここでいうベンゼン含有量とは、ＪＩＳ  Ｋ  ２５３６「石油製品-成分試験方法−ガスクロによる芳香族試験方法」により測定されるベンゼン含有量（容量％）を意味する。
【００４９】
本発明のガソリン中の灯油混入量は４容量％以下であることが好ましい。灯油混入量が４容量％を越えると、エンジンの始動性が悪化する可能性がある。
ここで、灯油混入量とはガソリン全量基準での炭素数１３及び１４のノルマルパラフィン炭化水素の含有量で判定し、ＪＩＳ  Ｋ  ２５３６「石油製品−成分試験方法」の規定によって得られる灯油の換算値が４容量％以下であることであることを意味する。
【００５０】
本発明のガソリンにおいて、メタノールは、腐食性と、排出ガス中のアルデヒド濃度が高くなる可能性もあるので、ＪＩＳ  Ｋ  ２５３６「石油製品−成分試験方法」の規定により試験したときに検出されない（０．５容量％以下）ことが好ましい。
【００５１】
本発明のガソリン中の芳香族分は、４５容量％以下であることが好ましく、４２容量％以下であることがより好ましく、４０容量％以下であることがさらに好ましい。また、本発明のガソリンのＲＯＮが９６．０未満の場合には、芳香族分は３５容量％以下であることが好ましく、３０容量％以下であることがより好ましく、２５容量％であることがさらにより好ましく、２２容量％以下であることが最も好ましい。芳香族分が多いと、吸気弁デポジット、燃焼室デポジットが増加する可能性や点火プラグのくすぶりが発生する可能性があり、排出ガス中のベンゼン濃度が増加する可能性もある。一方、芳香族分は、１０容量％以上が好ましく、１５容量％以上がより好ましく、１８容量％以上がさらに好ましい。また、本発明のガソリンのＲＯＮが９６．０以上の場合には、芳香族分は２５容量％以上であることが好ましく、３０容量％以上であることがより好ましく、３５容量％以上であることがさらに好ましい。芳香族分が少ないと、燃費が悪化する可能性がある。
ここでいう芳香族分とは、ＪＩＳ Ｋ  ２５３６「石油製品−成分試験方法−蛍光指示薬吸着法」により測定されるガソリン中の芳香族分含有量（容量％）を意味する。
【００５２】
本発明のガソリン中のオレフィン分は、３０容量％以下であることが好ましく、２５容量％以下であることがより好ましい。オレフィン分が３０容量％を超えると、ガソリンの酸化安定性を悪化させ吸気バルブデポジットを増加させる可能性がある。
ここでいうオレフィン分とは、ＪＩＳ Ｋ  ２５３６「石油製品−成分試験方法−蛍光指示薬吸着法」により測定されるガソリン中のオレフィン分含有量（容量％）を意味する。
【００５３】
本発明のガソリン中のマンガンの含有量は、２質量ｐｐｍ以下が好ましく、１質量ｐｐｍ以下がより好ましい。本発明のガソリン中の鉄の含有量は２質量ｐｐｍ以下が好ましく、１質量ｐｐｍ以下がより好ましい。本発明のガソリン中のナトリウムの含有量は２質量ｐｐｍ以下が好ましく、１質量ｐｐｍ以下がより好ましい。本発明のガソリン中のカリウムの含有量は２質量ｐｐｍ以下が好ましく、１質量ｐｐｍ以下がより好ましい。本発明のガソリン中のリンの含有量は２質量ｐｐｍ以下好ましく、１質量ｐｐｍ以下がより好ましく、０．２質量ｐｐｍ以下がさらに好ましい。マンガン、鉄、ナトリウム、カリウム、リンの含有量が上述の値を超えると、排出ガス浄化触媒上への蓄積量の増加、触媒担体の劣化、空燃比センサの劣化等により排出ガス浄化システムの効率を低下させる恐れがある。
ここでいうマンガン、鉄、ナトリウムの含有量は「燃焼灰化−誘導結合プラズマ発光法」、カリウムの含有量は「燃焼灰化−原子吸光法」、リンの含有量はＡＳＴＭ  Ｄ３２３１”Standard Test Method for Phosphorus in Gasoline”により測定される値である。
【００５４】
以下、「燃焼灰化−誘導結合プラズマ発光法」、「燃焼灰化−原子吸光法」の測定法について詳述する。
(１)試料２０ｇを白金皿に採取する。
(２)成分元素の揮散を抑えるために粉末硫黄０．４ｇを加え、サンドバス上で１５０℃で時間おき、揮発分を除く。
(３)残留分を燃焼させる。
(４)５００℃の電気炉で２〜３時間灰化する。
(５)２〜３ｍLの濃硫酸で溶解し、２０ｍLに定容する。
(６)マンガン、鉄、ナトリウムの含有量は誘導結合プラズマ発光分光分析計（島津製作所社製、ＩＣＰＳ−８０００）、リンの含有量は原子吸光光度計（日立製作所社製、Ｚ６１００）を用いて分析する。
【００５５】
本発明のガソリンは、貯蔵安定性のために、酸化防止剤及び金属不活性化剤を含有していることが好ましい。具体的には、酸化防止剤としては、Ｎ，Ｎ’−ジイソプロピル−ｐ−フェニレンジアミンやＮ，Ｎ’−ジイソブチル−ｐ−フェニレンジアミン等のフェニレンジアミン系、及び２，６−ジ−ｔ−ブチル−４−メチルフェノールに代表されるヒンダードフェノール類等のアルキルフェノール系等の酸化防止剤として公知の化合物を用いることができ、金属不活性化剤としては、Ｎ，Ｎ’−ジサリチリデン−１，２−ジアミノプロパンのようなアミンカルボニル縮合化合物等の金属不活性化剤として公知の化合物を用いることができる。
酸化防止剤や金属不活性化剤の添加量には特に制限はないが、前述の酸化安定度を好ましい値とし、他の添加剤を含めた添加後のガソリン組成物の未洗実在ガム量が前述の好ましい値となるようにするのが良い。具体的には、酸化防止剤は５〜１００ｍｇ／ｌが好ましく、１０〜５０ｍｇ／ｌがより好ましい。また、金属不活性化剤は、０．５〜１０ｍｇ／ｌが好ましく、１〜５ｍｇ／ｌがより好ましい。
【００５６】
本発明のガソリンは、吸気バルブ等のデポジットの堆積防止のために、清浄分散剤を含有することができる。清浄分散剤としては、コハク酸イミド、ポリアルキルアミン、ポリエーテルアミンなどのガソリン清浄分散剤として公知の化合物を用いることができる。これらの中でも空気中３００℃で熱分解を行った場合にその残分が無いものが望ましい。より好ましくはポリイソブテニルアミン及び／またはポリエーテルアミンを使用するのが良い。
清浄分散剤の含有量は、本発明のガソリン１リットル当たり、２５〜１０００ｍｇであることが好ましく、吸気バルブデポジットを防止し、燃焼室デポジットをより低減させる点から、５０〜５００ｍｇがさらに好ましく、１００〜３００ｍｇが最も好ましい。なお、清浄分散剤は、清浄性に寄与する有効成分が適当な溶剤で希釈されていることがあるが、こうした場合、上記の添加量は、有効成分としての添加量を意味している。
【００５７】
本発明のガソリンは、潤滑性を向上させるため、摩擦調整剤を含有することができる。主な摩擦調整剤としては、例えば、アルコール；ヒドロキシル基を１〜４個有する炭素数１〜３０のアルコール化合物；カルボン酸；モノカルボン酸と、グリコール又は３価アルコールとの反応物であるヒドロキシル基含有エステル；ポリカルボン酸と多価アルコールとのエステル；＞ＮＲ（Ｒは炭素原子数５〜４０の炭化水素基である）を含む組成を示し、１以上の置換基を有する少なくとも１個の窒素化合物とを組み合わせた多価アルコールのエステル；カルボン酸とアルコールアミンとのアミド化合物等が挙げられる。これらは、単独又は混合物として用いることができる。これらのうちでは、炭素数１０〜２５のモノカルボン酸と、グリコール又は３価アルコールとの反応物であるヒドロキシル基含有エステル及び／又は炭素数５〜２５のカルボン酸とアルコールアミンとのアミド化合物がより好ましく、炭素数１０〜２５のモノカルボン酸とグリセリンエステル及び／又は炭素数５〜２５のモノカルボン酸とジエタノールアミンとのアミド化合物がさらに好ましい。
【００５８】
摩擦調整剤の添加量は特に制限はないが、他の添加剤と合わせて添加後のガソリン組成物の未洗実在ガム量が前述の好ましい範囲を満たすように添加するのが良い。また、十分な燃費及び出力改善効果を発揮させ、一方、それ以上添加しても効果の向上が期待できない等の観点から、本発明のガソリン１リットル当たり、好ましくは１０〜３００ｍｇ、より好ましくは３０〜２５０ｍｇの含有割合となるように添加するのが良い。
なお、摩擦調整剤と称して市販されている商品は、耐摩耗性に寄与する有効成分が適当な溶剤で希釈されていることがあるため、こうした市販品を本発明のガソリンに添加する場合にあたっては、上記の添加量は、有効成分としての添加量を意味している。
【００５９】
本発明のガソリンに添加することができるその他の燃料油添加剤としては、有機リン系化合物などの表面着火防止剤、多価アルコールあるいはそのエーテルなどの氷結防止剤、有機酸のアルカリ金属塩またはアルカリ土類金属塩、高級アルコール硫酸エステルなどの助燃剤、アニオン系界面活性剤、カチオン系界面活性剤、両性界面活性剤などの帯電防止剤、アゾ染料などの着色剤、有機カルボン酸あるいはそれらの誘導体類、アルケニルコハク酸エステル等の防錆剤、ソルビタンエステル類等の水抜き剤、キリザニン、クマリンなどの識別剤、天然精油合成香料などの着臭剤等が挙げられる。
これらの添加剤は、１種または２種以上を添加することができ、その合計添加量はガソリン全量基準で０．１質量％以下とすることが好ましい。
【実施例】
【００６０】
以下に実施例により本発明を具体的に説明するが、本発明はこれらによって何ら限定されるものではない。
【００６１】
［実施例１〜８および比較例１，２］
水素及び一酸化炭素を主成分とする混合ガスに対してフィッシャートロプシュ（ＦＴ）反応を適用させて得られたナフサ留分を水素化精製することによって、留出温度範囲が３５℃〜８０℃のＦＴ合成基材Ｘを得た。このＦＴ合成基材Ｘを１５容量％およびバイオマス由来のエタノールを原料として製造したエチルタシャリーブチルエーテル（ＥＴＢＥ）を７容量％と、改質ガソリン、接触分解ガソリン、アルキレートなどの原油由来のガソリン基材を配合することにより、実施例１のガソリン組成物を調製した。
【００６２】
水素及び一酸化炭素を主成分とする混合ガスに対してＦＴ反応を適用させて得られた１５０℃〜３６０℃の中間留分を水素化精製する際の副反応生成物のナフサとして、留出温度範囲が３５℃〜１６５℃のＦＴ合成基材Ｙを得た。このＦＴ合成基材Ｙを１５容量％およびバイオマス由来のエタノールを原料として製造したＥＴＢＥを７容量％と、改質ガソリン、接触分解ガソリン、アルキレートなどの原油由来のガソリン基材を配合することにより、実施例２のガソリン組成物を調製した。
【００６３】
水素及び一酸化炭素を主成分とする混合ガスに対してＦＴ反応を適用させて得られたＦＴワックスを水素化分解することにより、留出温度範囲が３５℃〜１６５℃のＦＴ合成基材Ｚを得た。このＦＴ合成基材Ｚを１５容量％およびバイオマス由来のエタノールを原料として製造したＥＴＢＥを７容量％と、改質ガソリン、接触分解ガソリン、アルキレートなどの原油由来のガソリン基材を配合することにより、実施例３のガソリン組成物を調製した。
【００６４】
ＦＴ合成基材Ｚを１０容量％およびバイオマス由来のエタノールを原料として製造したＥＴＢＥを７容量％と、改質ガソリン、接触分解ガソリン、アルキレートなどの原油由来のガソリン基材を配合することにより、実施例４のガソリン組成物を調製した。
【００６５】
ＦＴ合成基材Ｘを７容量％およびバイオマス由来のエタノールを３容量％と、改質ガソリン、接触分解ガソリン、アルキレートなどの原油由来のガソリン基材を配合することにより、実施例５のガソリン組成物を調製した。
【００６６】
ＦＴ合成基材Ｙを７容量％およびバイオマス由来のエタノールを３容量％と、改質ガソリン、接触分解ガソリン、アルキレートなどの原油由来のガソリン基材を配合することにより、実施例６のガソリン組成物を調製した。
【００６７】
ＦＴ合成基材Ｚを７容量％およびバイオマス由来のエタノールを３容量％と、改質ガソリン、接触分解ガソリン、アルキレートなどの原油由来のガソリン基材を配合することにより、実施例７のガソリン組成物を調製した。
【００６８】
ＦＴ合成基材Ｚを５容量％およびバイオマス由来のエタノールを３容量％と、改質ガソリン、接触分解ガソリン、アルキレートなどの原油由来のガソリン基材を配合することにより、実施例８のガソリン組成物を調製した。
【００６９】
市販プレミアムガソリンにバイオマス由来のエタノールを原料として製造したＥＴＢＥを７容量％混合することにより、比較例１のガソリン組成物を調整した。
【００７０】
市販プレミアムガソリンにバイオマス由来のエタノールを3容量％混合することにより、比較例２のガソリン組成物を調整した。
【００７１】
実施例１〜８、および比較例１、２のガソリンの諸性状を表１に示す。
【００７２】
基材の性状、実施例および比較例における試験ガソリンの性状は以下の方法により測定した。
リサーチ法オクタン価およびモーター法オクタン価は、ＪＩＳ Ｋ  ２２８０「オクタン価及びセタン価試験方法」により測定されるリサーチ法オクタン価およびモーター法オクタン価による値である。
硫黄分は、ＪＩＳ  Ｋ  ２５４１「原油及び石油製品−硫黄分試験方法」により測定した。
鉛分は、ＪＩＳ  Ｋ  ２２５５「ガソリン中の鉛分試験方法」により測定した。
蒸留性状（ＩＢＰ、Ｔ１０、Ｔ３０、Ｔ５０、Ｔ７０、Ｔ９０、ＥＰ）は、全てＪＩＳ  Ｋ  ２２５４「石油製品−蒸留試験方法−常圧法」により測定した。
蒸気圧（＠３７．８℃）は、ＪＩＳ  Ｋ  ２２５８「原油及び燃料油蒸気圧試験方法（リード法）」により測定した。
密度（＠１５℃）は、ＪＩＳ  Ｋ  ２２４９「原油及び石油製品の密度試験方法並びに密度・質量・容量換算表」により測定した。
酸化安定度は、ＪＩＳ  Ｋ  ２２８７「ガソリン酸化安定度試験方法（誘導期法）」によって測定した。
銅板腐食は、ＪＩＳ  Ｋ  ２５１３「石油製品−銅板腐食試験方法」（試験温度５０℃、試験時間３時間）に準拠して測定した。
未洗実在ガム量および洗浄実在ガム量は、ＪＩＳ  Ｋ  ２２６１「石油製品−自動車ガソリン及び航空燃料油−実在ガム試験方法−噴射蒸発法」により測定した。
ベンゼンは、ＪＩＳ Ｋ  ２５３６「石油製品−成分試験方法−ガスクロによる芳香族試験方法」により測定した。
芳香族分及びオレフィン分は、ＪＩＳ Ｋ  ２５３６「石油製品−成分試験方法−蛍光指示薬吸着法」により測定した。
灯油分は、ＪＩＳ  Ｋ  ２５３６「石油製品−成分試験方法」の規定に従って測定した。
マンガン、鉄、ナトリウムの含有量は「燃焼灰化−誘導結合プラズマ発光法」、カリウムの含有量は「燃焼灰化−原子吸光法」、リンの含有量はＡＳＴＭ  Ｄ３２３１”Standard Test Method for Phosphorus in Gasoline”により測定した。
【００７３】
（ブレンディングリサーチ法オクタン価）
実施例１〜８および比較例１〜４のガソリン組成物について、エーテル類、アルコール類を混合していないベースガソリンのリサーチ法オクタン価（ＲＯＮ）を測定して、以下の式で与えられるＥＴＢＥのブレンディングＲＯＮを求めた。
フ゛レンテ゛ィンク゛RON＝RON(BASE)＋（（RON(OXY)−RON(BASE)）／VOL(OXY)）×100
ここで、RON(BASE)は、ベースガソリンのＲＯＮを、RON(OXY)はアルコール類、エーテル類混合後のＲＯＮを、VOL(OXY)はアルコール類、エーテル類の混合量（容量％）をそれぞれ表す。結果を表２に示す。
【００７４】
実施例１〜８は、いずれもＦＴ合成基材と、バイオマス由来のＥＴＢＥあるいはエタノールを含有しることにより、ガソリン供給ソースの多様化が図られている。
また、表２より実施例１〜４のＥＴＢＥのブレンディングＲＯＮは、比較例１と比較して大きく、ＦＴ合成基材の配合によりＥＴＢＥのオクタン価向上効果が増大したことが分かる。また、実施例５〜８のエタノールのブレンディングＲＯＮは、比較例２と比較して大きく、ＦＴ合成基材の配合によりオクタン価向上効果が増大したことが分かる。
【００７５】
【表１】
2007270091.tif 000002
【表２】
2007270091.tif 000003